(57)【要約】【課題】  吊下げコードの長さ調整装置として、長さ調整を簡単な操作で極めて容易に行え、コード長さを広い調整幅内で高精度に設定できるものを提供する。【解決手段】  上部にプラグ部２を備えたコード収納ケース１０の内側上部に、コード持込み口６がケース中心から外れた離心位置に設けられ、コード持込み口６を通して上端をプラグ部２に接続した吊下げコード５がケース１０内よりケース底部のコード挿通孔７を通して下方外部へ導出され、コード挿通孔７を通るコード周面に対して回転操作によってロック爪４１が係脱動作するコードロック手段３，４を備え、ロック解除下で吊下げコード５の余剰分をコード挿通孔７からコード収納ケース１０内へ押し込むことにより、コード５がケース内周に沿ってコイル状に巻き込まれ、ロック状態でコード５がコード挿通孔７から出入不能になるように構成されている。【選択図】  図７
2006294345.tif 000002
【特許請求の範囲】
【請求項１】
上部にプラグ部を備えたコード収納ケースの内側上部に、コード持込み口がケース中心から外れた離心位置に設けられ、このコード持込み口を通して上端を前記プラグ部に接続した吊下げコードが当該ケース内よりケース底部のコード挿通孔を通して下方外部へ導出されると共に、該コード挿通孔を通るコード周面に対してロック爪が係脱動作するコードロック手段を備え、
前記コードロック手段のロック解除下で吊下げコードの余剰分を前記コード挿通孔からコード収納ケース内へ押し込むことにより、該コードがケース内周に沿ってコイル状に巻き込まれ、コードロック手段のロック状態で該コードが前記コード挿通孔から出入不能になるように構成されてなる吊下げコードの長さ調整装置。
【請求項２】
前記のコード持込み口が側方向きに開口してなる請求項１記載の吊下げコードの長さ調整装置。
【請求項３】
コード収納ケースが上下に長い筒状で上方へ向かって広くなる内部空間を有する請求項１又は２に記載の吊下げコードの長さ調整装置。
【請求項４】
コード収納ケースの内周が円形をなす請求項１〜３のいずれかに記載の吊下げコードの長さ調整装置。
【請求項５】
前記プラグ部の接続刃がコード収納ケースの外側に突出してなる請求項１〜４のいずれかに記載の吊下げコードの長さ調整装置。
【請求項６】
前記プラグ部がダクトレール取付用のプラグ部である請求項１〜５のいずれかに記載の吊下げコードの長さ調整装置。
【請求項７】
前記コードロック手段は、コード収納ケースの下端部に同心で回転可能に嵌着したロック操作リングと、先端にロック爪を有して前記コード挿通孔の周囲に配置した複数本の爪片と、ロック操作リングのロック位置への回転操作によって前記爪片を外側から押圧して内側へ傾動させる突起部とから構成される請求項１〜６のいずれかに記載の吊下げコードの長さ調整装置。
【請求項８】
前記複数本の爪片が環状基部に一体形成されて留め環を構成し、その各爪片の先端に内向きの前記ロック爪と外向きの係止爪を備え、この留め環の環状基部を前記ロック操作リングの中心孔の周縁に係止すると共に、該中心孔に通した各爪片の係止爪を前記コード挿通孔の周縁に係止することにより、ロック操作リングが該留め環を介してコード収納ケースの下端部に嵌着されてなる請求項７記載の吊下げコードの長さ調整装置。
【請求項９】
請求項１〜８のいずれかに記載の吊り下げコードの長さ調整装置を備えた照明装置。
【発明の詳細な説明】
【技術分野】
【０００１】
この発明は、ペンダント型照明器具等の電気コードを介して吊下げ状態で使用する電気器具に用いられる吊下げコードの長さ調整装置に関する。
【背景技術】
【０００２】
ペンダント型照明器具は、丈夫な多重被覆構造によって高強度化した電気コードを吊下げコードとして用い、天井等に設けたダクトレールや引掛けシーリングに、コード先端に取り付けたプラグ部を係合して吊持させるものであるが、その吊下げ位置を設定するために吊下げコードの長さ調整が必要になる。
【０００３】
従来、吊下げコードの長さ調整手段として、プラグ部のキャップから下方へ突出させたコード保持体に余剰のコードを巻回し、その巻回末尾を該コード保持体の下端ストッパーで挟持固定すると共に、この余剰コード巻回部分及び接続プラグ部にカップ状の合成樹脂製カバー等を被せる方式が汎用されている（例えば、特許文献１）。また、接続プラグ部側又は照明器具側にコード収納部を設け、このコード収納部のコード挿通孔より余剰のコードを該収納部内へ押し込んだ上で、引出し方向に引っ張ることにより、コード挿通孔に嵌装したロック爪がコードに食い込んで固定する方式も多用されている。更に、コードの中間部において余剰長さ分を巻いたり折り返し状に曲げたりしてまとめ、このまとめた余剰部分を縦分割型容器の分割体間に挟み込み、両分割体を連結して内部に余剰コードを収容した容器形態とし、該容器の上下のコード導出部でコードを挟持固定する方式も提案されている（特許文献２，３）。
【特許文献１】特開昭６２−７６２０９号公報
【特許文献２】特開平８−１２９９０５号公報
【特許文献３】特開２００１−２３６８１５号公報
【発明の開示】
【発明が解決しようとする課題】
【０００４】
しかるに、前記のコード保持体に余剰のコードを巻回する方式では、その巻回操作と下端ストッパーによる挟持操作、更にはカバーの着脱に手間がかかる上、コード長さを精度よく設定できないという難点があった。また、コード収納部に余剰のコードを押し込んでから引っ張って固定する方式では、コードの腰の強さもあってコード収納部でのコードの納まりが悪く、余剰分が多い場合に押し込みに困難を来たすため、コード長さの調整幅を広くとれないことに加え、引っ張ってロック爪を働かせるためにコード長さはかなり大まかにしか設定できなかった。更に、コードの中間部で余剰分をまとめて縦分割型容器内に収容する方式では、分割型容器の組立作業を含めて操作的に極めて煩雑である上、やはりコード長さを正確に設定しにくく、しかもコード中間部の容器が目立って外観体裁に劣るという問題もあった。そして、特にダクトレールに複数個の照明器具を取り付ける場合は、これら従来の長さ調整方式ではいずれもコード長さを正確に設定しにくいため、それら照明器具を同じ吊下げ高さに精度よく揃えることが極めて困難であった。
【０００５】
この発明は、上述の事情に鑑みて、吊下げコードの長さ調整装置として、長さ調整を簡単な操作で極めて容易に行える上、コード長さを広い調整幅内で高精度に設定できるものを提供することを目的としている。
【課題を解決するための手段】
【０００６】
上記目的を達成するために、この発明は以下の手段を提供する。
【０００７】
［１］上部にプラグ部を備えたコード収納ケースの内側上部に、コード持込み口がケース中心から外れた離心位置に設けられ、このコード持込み口を通して上端を前記プラグ部に接続した吊下げコードが当該ケース内よりケース底部のコード挿通孔を通して下方外部へ導出されると共に、該コード挿通孔を通るコード周面に対してロック爪が係脱動作するコードロック手段を備え、
前記コードロック手段のロック解除下で吊下げコードの余剰分を前記コード挿通孔からコード収納ケース内へ押し込むことにより、該コードがケース内周に沿ってコイル状に巻き込まれ、コードロック手段のロック状態で該コードが前記コード挿通孔から出入不能になるように構成されてなる吊下げコードの長さ調整装置。
【０００８】
［２］前記のコード持込み口が側方向きに開口してなる前項１記載の吊下げコードの長さ調整装置。
【０００９】
［３］コード収納ケースが上下に長い筒状で上方へ向かって広くなる内部空間を有する前項１又は２に記載の吊下げコードの長さ調整装置。
【００１０】
［４］コード収納ケースの内周が円形をなす前項１〜３のいずれかに記載の吊下げコードの長さ調整装置。
【００１１】
［５］前記プラグ部の接続刃がコード収納ケースの外側に突出してなる前項１〜４のいずれかに記載の吊下げコードの長さ調整装置。
【００１２】
［６］前記プラグ部がダクトレール取付用のプラグ部である前項１〜５のいずれかに記載の吊下げコードの長さ調整装置。
【００１３】
［７］前記コードロック手段は、コード収納ケースの下端部に同心で回転可能に嵌着したロック操作リングと、先端にロック爪を有して前記コード挿通孔の周囲に配置した複数本の爪片と、ロック操作リングのロック位置への回転操作によって前記爪片を外側から押圧して内側へ傾動させる突起部とから構成される前項１〜６のいずれかに記載の吊下げコードの長さ調整装置。
【００１４】
［８］前記複数本の爪片が環状基部に一体形成されて留め環を構成し、その各爪片の先端に内向きの前記ロック爪と外向きの係止爪を備え、この留め環の環状基部を前記ロック操作リングの中心孔の周縁に係止すると共に、該中心孔に通した各爪片の係止爪を前記コード挿通孔の周縁に係止することにより、ロック操作リングが該留め環を介してコード収納ケースの下端部に嵌着されてなる前項７記載の吊下げコードの長さ調整装置。
【００１５】
［９］前項１〜８のいずれかに記載の吊り下げコードの長さ調整装置を備えた照明装置。
【発明の効果】
【００１６】
上記発明［１］によれば、コード収納ケースの内側上部のコード持込み口が離心位置にあるため、コードロック手段のロック解除下では、吊下げコードの余剰分を前記コード挿通孔からコード収納ケース内へ押し込んだ際、該コードが自然にケース内周に沿ってトグロを巻くようにコイル状に巻き込まれ、また逆にコード挿通孔からのコード引出しも自在であり、もってコード収納ケースの開閉操作やコード巻付け操作を必要とせずに、極めて容易に長さ調整を行えると共に、コードロック手段をロック状態にするだけで調整した長さを維持できるから、コード長さひいては吊持するペンダント型照明器具の如き電気器具の高さ位置を高精度に設定でき、更にコード収納ケース内には吊下げコードをコイル状として空間効率よく高密度に収納できるから、該ケースのサイズが小さくともコード長さの調整幅を大きくとることが可能となる。
【００１７】
上記発明［２］によれば、上記の上端持込み口が側方向きに開口しているから、この上端持込み口からコード収納ケース内へ導出する吊下げコードの方向が当該ケースの周壁に向く形になり、この導出方向と吊下げコード特有の腰の強さが相まって、吊下げコードの余剰分をコード挿通孔からコード収納ケース内へ押し込んだ際に、より滑らかにコイル状に巻き込まれる。
【００１８】
上記発明［３］によれば、コード収納ケースが上下に長い筒状をなすことに加え、その内部空間が上方へ向かって広くなっているから、吊下げコードの余剰分をコード挿通孔からコード収納ケース内へ押し込む際、既にコード収納ケース内で螺旋状になっている部分が螺旋形態を崩さずに上方へ円滑に移動してゆき、もって巻き乱れを生じずにより滑らかにコイル状に巻き込まれる。
【００１９】
上記発明［４］によれば、コード収納ケースの内周が円形をなすから、吊下げコードの余剰分をコード挿通孔からコード収納ケース内へ押し込んだ際に、より滑らかにコイル状に巻き込まれる。
【００２０】
上記発明［５］によれば、前記プラグ部の接続刃がコード収納ケースの外側に突出しているから、そのままの状態で天井等に設けたダクトレールや引掛けシーリングに対して簡単に着脱でき、コード収納ケースの開閉等の操作が全く不要である。
【００２１】
上記発明［６］によれば、前記プラグ部がダクトレール取付用であるから、特に天井等に設けたダクトレールに対して簡単に着脱可能であると共に、該ダクトレールに複数の照明器具を同じ吊下げ高さに精度よく容易に揃えることができる。
【００２２】
上記発明［７］によれば、コードロック手段のロックとロック解除の切り換えをロック操作リングの回転によって簡単に行える上、ロックの際にはコード挿通孔の周囲の複数本の爪片が内側へ傾動して各々のロック爪を吊下げコードの周面に食い込ませるから、ロック状態で該コードが強固に固定され、設定したコード長さを確実に維持できて高い信頼性が得られる。
【００２３】
上記発明［８］によれば、前記コードロック手段の複数本の爪片が留め環に一体化され、該留め環によってロック操作リングをコード収納ケースの下端部に嵌着できるから、長さ調整装置を少ない部品数で容易に組立てでき、組立製作コストも低減される。
【００２４】
上記発明［９］によれば、長さ調整を簡単な操作で極めて容易に行える上、コード長さを広い調整幅内で高精度に設定することができる。
【発明を実施するための最良の形態】
【００２５】
以下、この発明に係る吊下げコードの長さ調整装置の一実施形態について、図面を参照して具体的に説明する。図１は該長さ調整装置の内部構造、図２は同長さ調整装置を上下前後の各方向から見た外観、図３〜図６は同長さ調整装置に使用される各部品、図７は同長さ調整装置の動作、図８は同長さ調整装置の使用状態、をそれぞれ示す。
【００２６】
図１及び図２（Ａ）〜（Ｄ）に示すように、この長さ調整装置Ｍは、縦円筒状のケース本体１と、該ケース本体１の上端開口部１ａに嵌着したプラグ部材２とでコード収納ケース１０を構成すると共に、このケース１０の下端部にロック操作リング３が留め環４を介して装着されている。そして、コード収納ケース１０内には吊下げコード５が内周に沿ってコイル状の巻回状態で装填されており、該コード５の上端が当該ケース１０の内側上部つまりプラグ部材２の下面に設けたコード持込み口６からプラグ部材２内部へ引き込まれ、このプラグ部材２内部の接続端子（図示省略）に電気的及び機械的に接続される一方、該コード５の下部がコード収納ケース１０の底部のコード挿通孔７から外部へ導出して図示省略したペンダント型照明器具に接続している。
【００２７】
ケース本体１は、図３（Ａ）〜（Ｃ）に示すように、周壁部１ｂの上部に、前面に臨んで上端開口部１ａに繋がる矩形の切欠部１１と、該切欠部１１のやや下方の内面側に突出した左右一対の横方向の係止リブ１２ａ，１２ａと、後部寄りの内面左右両側に突出した横方向の係止リブ１２ｂ，１２ｂと、内面側の前部寄り左右２ヶ所と後部１ヵ所で上縁から下方へ凹入したガイド溝１３が形成されている。しかして、この周壁部１ｂは上方へ向かって内径が若干拡大しており、これによってコード収納ケース１０の内部が上方ほど広くなっている。また、底壁部１ｃには、中央に設けたコード挿通孔７の周囲４ヵ所に等配して、上方及び孔内側へ突出した平面視略扇形の位置決め突起１４を有すると共に、下面側においてコード挿通孔７を取り囲む環状凸部１５と、更に該環状凸部１５の外側で周方向４ヵ所に等配して下面側に突出した回転規制突起１６とを備えている。
【００２８】
プラグ部材２は、上方に開放したカップ状のプラグケース２ａと、左右一対の接続刃２０，２０を上端部の左右両側へ張出させたプラグ本体２ｂとで構成されており、そのプラグ本体２ｂに前記の吊下げコード５の上端を接続した上で、該プラグ本体２ｂをプラグケース２ａの内側上半部に嵌合して取付ねじ８，８で止着するようになっている。
【００２９】
そのプラグケース２ａは、図４（Ａ）〜（Ｄ）に示すように、円筒形の周壁部２１の前面側上半部が前方へ平面視及び正面視で略矩形に突出して膨出部２２を構成し、この膨出部２２の内側の基部寄り位置に左右一対のねじ孔２３，２３が形成されると共に、膨出部２２の下面側に下端を外向きに突出する鉤形とした係止突片２４ａが垂設され、周壁部２１の後部寄り左右２ヵ所にも同様の係止突片２４ｂ，２４ｂが上縁から外側へ突出して垂下する形で設けられ、更に周壁部２１の外面側上部の前部寄り左右２ヶ所と後部１ヵ所に垂直方向に沿う位置決め突片２５が形成されている。また、このプラグケース２ａの底壁部２６には、略半円形のコード差込み孔２７が中心から外れる形で設けられると共に、下面側に該コード差込み孔２７を覆うように略１／４球殻状の持込みガイド部２８が突設されており、この持込みガイド部２８の開口端によって離心位置で側方に開いた半円形のコード持込み口６を構成している。
【００３０】
しかして、プラグ部材２は、ケース本体１の上端開口部１ａに対し、膨出部２２が切欠部１１に、各位置決め突片２５がガイド溝１３に、それぞれ嵌合する形で上方から圧入することにより、係止突片２４ａ，２４ｂが係止リブ１２ａ，１２ｂに係嵌し、もってケース本体１に抜出不能に嵌着される。
【００３１】
ロック操作リング３は、図５（Ａ）〜（Ｃ）に示すように、ドーナツ板状の底板部３ａの上面側に、内外三重の環状突縁３ｂ〜３ｄが同心状に一体形成され、底板部３ａと内側環状突縁３ｂとの間に下面側に臨む環状段部３１が設けてある。そして、内側環状突縁３ｂの内周には４つの突起部３２…が周方向に等配形成されており、各突起部３２は上方ほど大きく突出すると共に平面視での片側斜面が緩傾斜になっている。また、中間環状突縁３ｃと外側環状突縁３ｄとの間を結ぶ形で、両環状突縁３ｃ，３ｄと同高さのストッパー壁３３と、両環状突縁３ｃ，３ｄより僅かに低い係止壁３４とが周方向に沿って交互に各４ヵ所に設けてある。更に、外側環状突縁３ｄの外周面には、スプライン３５が形成されると共に、周方向一箇所にスプライン３５の途切れによって指示マーク３６が表示されている。
【００３２】
なお、図５（Ａ）に示すように、４つの係止壁３４…は９０度の位相差で周方向に等配する一方、４つのストッパー壁３３の内の一つ置きの２つはそれぞれ隣合う両側の係止壁３４，３４から略等距離つまり約４５度の角度をなす位置にあるが、他の２つのストッパー壁３３，３３はロック操作リング３の径方向両側において各々片側の係止壁３４に接近した位置にある。そして、この径方向両側における接近したストッパー壁３３と係止壁３４との中間点同士を結ぶ経線ｄ上で２つの突起部３２，３２が対向している。
【００３３】
留め環４は、図６（Ａ）（Ｂ）に示すように、ドーナツ板状の環状基部４ａの上面側に、その中心孔４０の周縁から立ち上がる４本の爪片４ｂ…が周方向に等配して一体形成されたものである。しかして、各爪片４ｂの先端には、内向きに突出したロック爪４１と、外向きにより大きく突出した係止爪４２とが形成されており、係止爪４２の下面側は環状基部４ａの上面と略平行になっている。
【００３４】
この留め環４の環状基部４ａをロック操作リング３の環状段部３１に係止すると共に、４本の爪片４ｂ…を該ロック操作リング３の中心孔３０とケース本体１のコード挿通孔７とに強制挿嵌し、各爪片４ｂの係止爪４２を該コード挿通孔７の周縁の位置決め突起１４，１４間に係止することにより、当該ロック操作リング３がケース本体１つまりコード収納ケース１０の下端に下端部に抜出不能に嵌着されている。そして、この嵌着状態において、ケース本体１の下面の各回転規制突起１６は、ロック操作リング３の中間環状突縁３ｃと外側環状突縁３ｄとの間に位置しており、該ロック操作リング３の回転操作によって上縁の低い係止壁３４を強制的に乗り越え得るが、上縁の高いストッパー壁３３を乗り越えできなくなっている。
【００３５】
従って、ロック操作リング３は、コード収納ケース１０に対し、配置間隔の狭いストッパー壁３３，３３間に位置する２つの回転規制突起１６，１６の相対回転が許容される約４５度の回転角度範囲で回転操作可能である。そして、該ロック操作リング３の突起部３２…が留め環４の爪片４ｂ…の背面から外れた位置にある時はロック解除状態であり、コード挿通孔７を通る吊下げコード５はコード収納ケース１０に対する出入いずれの方向にも抵抗少なく移動できる。しかるに、ロック操作リング３の回転操作で突起部３２…が留め環４の爪片４ｂ…の背面に位置した時はロック状態になり、各爪片４ｂが該突起部３２に押圧されて内側へ傾動するため、そのロック爪４１がコード挿通孔７を通る吊下げコード５の表面に食い込み、もって該コード５はコード収納ケース１０に対する出入いずれの方向にも移動不能となる。
【００３６】
なお、ケース本体１の下縁外周面には、図２（Ｃ）で示すように、凹条による基準マーク９が表示されており、ロック状態においてロック操作リング３の指示マーク３６が該基準マーク９と合致するように設定されている。また、ケース本体１の上部より前方へ突出したプラグ部材２の膨出部２２の下面には、図２（Ｄ）に示すように、ロック操作リング３のロック（ＳＥＴ）とロック解除（ＲＥＳＥＴ）の回転方向を示す文字表示３７が施されている。
【００３７】
しかして、ロック状態ではケース本体１のリング３の２つの回転規制突起１６，１６がロック操作リング３の近接したストッパー壁３３と係止壁３４との間に位置しており、このロック状態からロック解除状態にするには４つの回転規制突起１６，１６の全部が各々係止壁３４を乗り越える必要があるため、ロック操作リング３に対して人手による強制捻回力を加えない限り、該ロック状態が安定に維持される。
【００３８】
上記構成の長さ調整装置Ｍによれば、コード収納ケース１０の内側上部のコード持込み口６が離心位置にあって且つ側方へ向けて開口しており、該コード持込み口６から導出する吊下げコード５がケース本体１の周壁１ｂの内周に沿う形になる。このため、例え該コード５をコード収納ケース１０内の余剰分が殆どない状態まで引き出してから、ロック解除下で該コード５の余剰分をコード挿通孔７から当該ケース１０内へ押し込むようにしても、図７の（Ａ１）（Ｂ１）図から（Ａ２）（Ｂ２）図へと順次示すように、コード収納ケース１０内へ入り込む該コード５が自然に周壁１ｂの内周に沿って螺旋状に変形し、トグロを巻くように納まってゆく。そして、更に該コード５を押し込んでゆくと、コード収納ケース１０が上下に長い円筒形で、且つ内部が上部ほど広くなっていることも相まって、既に内部で螺旋状になっている部分が螺旋形態を崩さずに上方へ円滑に移動してゆくことにより、（Ａ３）（Ｂ３）図から（Ａ４）（Ｂ４）図へと順次示すように、該ケース１０内で乱れを生じずに滑らかにコイル状態が成長してゆく形で密に巻き込まれてゆく。一方、ロック解除下では、逆にコード挿通孔７からのコード５の引出しも自在である。
【００３９】
従って、この長さ調整装置Ｍでは、コード収納ケース１０の開閉操作やコード巻付け操作を必要とせずに、極めて容易に吊下げコード５の長さ調整を行えると共に、ロック操作リング３を回転操作するだけでロック解除状態からロック状態へ切り換えでき、このロック状態では調整した長さを安定に維持できるから、コード長さひいては吊持するペンダント型照明器具の如き電気器具の高さ位置を高精度に設定できる上、コード収納ケース１０内には吊下げコード５をコイル状として空間効率よく高密度に収納できるから、該ケース１０のサイズが小さくともコード長さの調整幅を大きくとることが可能である。
【００４０】
図８は、部屋の天井部に接続部材Ｊを介して取り付けたダクトレールＤＲに対し、各々上記の長さ調整装置Ｍを用いて複数個（図では４個）のペンダント型照明器具Ｌ…を吊持させた状態を例示している。しかして、このようにダクトレールＤＲに複数個のペンダント型照明器具Ｌ…を吊持させる場合、外観体裁より全部の照明器具Ｌ…を同じ高さに揃えることが要望されるが、各照明器具Ｌを吊持する吊下げコード５の長さを長さ調整装置Ｍによって極めて簡単に高精度に調整できるから、該要望に全く無理なく対応できる。また、この長さ調整装置Ｍでは、プラグ部材２の接続刃２０，２０がコード収納ケース１０の外側上部で左右両側に張出しているから、そのままの状態でダクトレールＤＲの溝部Ｇに対して簡単に着脱でき、コード収納ケース１０の開閉等の操作が全く不要である。
【００４１】
また、上述した実施形態の長さ調整装置Ｍは、ロック爪４１を有する複数本の爪片４ｂ…が留め環４に一体化され、この留め環４によってロック操作リング３をコード収納ケース１０の下端部に嵌着する構造であり、該留め環４がコードロック手段とその取付手段を兼用するから、それだけ少ない部品数で容易に組立てでき、組立製作コストも低減されるという利点がある。
【００４２】
なお、コード収納ケース１０は実施形態のように上下に長い円筒形が最適であるが、内周の横断面形状が少なくとも四角形以上の多角形であれば、コード持込み口６を離心位置に設定することより、また特に該コード持込み口６を側方へ向けて開口させることによって、吊下げコード５のコード挿通孔７からの押し込みでコイル状の巻き込みが充分に可能である。
【００４３】
更に、この発明の長さ調整装置のコードロック手段としては、コード挿通孔７を通るコード５周面に対して回転操作によってロック爪４１が係脱動作するものであればよい。例えば、上記実施形態ではロック爪４１を有する複数本の爪片４ｂ…を留め環４に設けているが、コード収納ケース１０とロック操作リング３のいずれか一方に爪片４ｂ…を突設し、これら爪片４ｂ…を突入させる他方の孔周囲に突起部３２…を設け、ロック操作リング３の回転によって該突起部３２…が爪片４ｂ…の背面に対して離接し、もって傾動変位する爪片４ｂ…の先端のロック爪４１…によってロック及びロック解除の切り換えを行う構成も採用可能である。
【００４４】
一方、上記実施形態の長さ調整装置Ｍはダクトレール取付用のプラグ部を有するが、この発明の長さ調整装置は天井等に設けられる引掛けシーリングに対応したプラグ部を備えるものでもよい。その他、この発明の吊下げコードの長さ調整装置の細部構成については実施形態以外に種々設計変更可能である。
【図面の簡単な説明】
【００４５】
【図１】この発明の一実施形態に係る吊下げコードの長さ調整装置の縦断側面図である。
【図２】同長さ調整装置の外観を示し、（Ａ）図は平面図、（Ｂ）図は正面図、（Ｃ）図は背面図、（Ｄ）図は底面図である。
【図３】同長さ調整装置に用いるケース本体を示し、（Ａ）図は縦断側面図、（Ｂ）図は平面図、（Ｃ）図は底面図である。
【図４】同長さ調整装置に用いるプラグ部材のプラグケースを示し、（Ａ）図は平面図、（Ｂ）図は側面図、（Ｃ）図は底面図、（Ｄ）図は縦断側面図である。
【図５】同長さ調整装置に用いるロック操作リングを示し、（Ａ）図は平面図、（Ｂ）図は（Ａ）図のＢ−Ｂ線の断面矢視図、（Ｃ）図は（Ａ）図のＣ−Ｃ線の断面矢視図である。
【図６】同長さ調整装置に用いる留め環を示し、（Ａ）図は平面図、（Ｂ）図は半縦断正面図である。
【図７】同長さ調整装置における吊下げコードの巻き込み状態を順次示し、（Ａ１）図は第一段階の縦断側面図、（Ａ２）図は第二段階の縦断側面図、（Ａ３）図は第三段階の縦断側面図、（Ａ４）図は第四段階の縦断側面図、（Ｂ１）図は（Ａ１）図のＢ１−Ｂ１線の断面矢視図、（Ｂ２）図は（Ａ２）図のＢ２−Ｂ２線の断面矢視図、（Ｂ３）図は（Ａ３）図のＢ３−Ｂ３線の断面矢視図、（Ｂ４）図は（Ａ４）図のＢ４−Ｂ４線の断面矢視図である。
【図８】部屋の天井部に取り付けたダクトレールに長さ調整装置を介して複数個のペンダント型照明器具を吊持させた例である。
【符号の説明】
【００４６】
１  ケース本体
１０  コード収納ケース
２  プラグ部材（プラグ部）
２０  接続刃
３  ロック操作リング（コードロック手段）
３０  中心孔
３１  環状段部（中心孔の周縁）
３２  突起部
４  留め環（コードロック手段）
４ａ  環状基部
４ｂ  爪片
４０  中心孔
４１  ロック爪
４２  係止爪
５  吊下げコード
６  コード持込み口
７  コード挿通孔
ＤＬ  ダクトレール
Ｌ  ペンダント型照明器具
Ｍ  長さ調整装置
【図１】
2006294345.tif 000003
【図２】
2006294345.tif 000004
【図３】
2006294345.tif 000005
【図４】
2006294345.tif 000006
【図５】
2006294345.tif 000007
【図６】
2006294345.tif 000008
【図７】
2006294345.tif 000009
【図８】
2006294345.tif 000010